(57)【要約】【課題】使用後の容器に残った混合液を入れたままでキャップを被蓋しておいても、発生するガスを排出できるように液体連通路を形成した染毛剤塗布用具用の容器を提供すること。【解決手段】容器口部に取外し可能な中栓を嵌合し、ねじキャップで被蓋した染毛剤用具用の容器であって、容器口部の外周には、上下方向に延びる切欠部を刻設したねじを螺設し、容器肩部の壁面に、ねじキャップの側周壁下端が衝接する上下位置決め部を設けたことを特徴とする。【選択図】　　　　図１
2004091001.tif 000002
【特許請求の範囲】
【請求項１】
容器口部に取外し可能な中栓を嵌合し、ねじキャップで被蓋した染毛剤用具用の容器であって、
容器口部の外周には、上下方向に延びる切欠部を刻設したねじを螺設し、
容器肩部の壁面に、ねじキャップの側周壁下端が衝接する上下位置決め部を設けたことを特徴とする染毛剤塗布用具用の容器。
【発明の詳細な説明】
【０００１】
【発明の属する技術分野】
本発明は、染毛剤塗布用具用の容器に関する。
【０００２】
【従来の技術】
二液の染毛剤を一つの容器に入れて混合し、その容器の口部に櫛付キャップを取着して毛髪に塗布することは従来より周知であり、塗布後には、櫛付キャップを取外して洗滌し、容器内の残った混合液を捨てるようにしている。
【０００３】
【発明が解決しようとする課題】
しかしながら、混合液をすぐに捨てられないときに、残った混合液を入れたまま容器にねじキャップをしておくことがある。
速やかに混合液を捨てれば問題はないが、混合液を捨て忘れてそのまま放置される場合がある。
そうした場合に、混合液からガスが発生して容器の内圧が上昇し、容器が変形したり、ときには破損するおそれさえあった。
【０００４】
本発明は、上記問題を解決することを課題として、使用後の容器に残った混合液を入れたままでキャップを被蓋しておいても、発生するガスを排出できるように液体連通路を形成した染毛剤塗布用具用の容器を提供することを目的とする。
【０００５】
【課題を解決するための手段】
本発明は、上記の課題を解決するため、染毛剤塗布用具用の容器として、容器口部に取外し可能な中栓を嵌合し、ねじキャップで被蓋した染毛剤用具用の容器であって、容器口部の外周には、上下方向に延びる切欠部を刻設したねじを螺設し、容器肩部の壁面に、ねじキャップの側周壁下端が衝接する上下位置決め部を設けたことを特徴とする構成を採用する。
【０００６】
【発明の実施の形態】
次に、本発明の実施形態について、図面を参照して説明する。
図１において、Ａは染毛剤塗布用具用の容器、Ｂは中栓、Ｃはキャップである。
【０００７】
図１〜３に示すように、容器Ａは、外側層１と該外側層１に剥離自在として積層され、変形自在の内袋となる内側層２とから形成され、容器口部３と肩部４、胴部５と底部６とからなっている。
容器口部３は、縮径部７とその下方の拡径部８とからなり、縮径部７外周には、上下方向に切欠部９を設けたねじ１０が螺設されており、ねじ１０の下方には、外側層１と内側層２との間に大気を導入する大気導入孔１１が穿孔されている。
【０００８】
肩部４の壁面には、複数の位置決め突起１２が設けられている。
肩部４および胴部５は円形もしくは楕円形であって、胴部５はスクイズ可能となっている。
【０００９】
中栓Ｂは、頂壁１５と、頂壁１５から垂設された嵌合筒１６とからなり、頂壁１５は、その周縁が容器口部３の天面を被い、容器口部３をシールさせるパッキンの機能を有しており、嵌合筒１６は、容器口部３内周壁に係合し、容器Ａ内部を密封している。
【００１０】
図４に示すように、キャップＣは、頂壁２０と側周壁２１とからなり、側周壁２１内周には、上端部に中栓Ｂを保持させるために頂壁１５の側周面の保持面２２が形成され、その下方には、容器口部３のねじ１０に螺合するねじ２３が螺設されている。
側周壁２１内面の下方は拡径され、その下端は、キャップＣが締着されたときに、容器Ａの肩部４に設けられた位置決め突起１２に当接し、位置決めされるようになっている。
【００１１】
次に、本発明の容器の使用態様と構成に基づく作用効果について説明する。
染毛剤としては、毛髪を所望の色に均一に染めるものや、毛髪を脱色するもの、毛髪を脱色した後に所望の色に染めるもの等、種々のタイプのものが使われている。
そして、染毛にあたっては、染毛剤の二液混合液が用いられるが、場合によって三液以上の混合液を用いることもある。
【００１２】
染毛に二液混合液を用いる場合、容器Ａには染毛剤の第１液、もう一つの容器には第２液が収納され、公知のものと同様に、櫛体を取着した櫛付キャップと、その他の付属品とともに市販される。
塗布用具の使用にあたっては、まず、第１液を収納した容器ＡのキャップＣを取り、中栓Ｂを取外して第２液を入れ、二液を混合させる。
次に、櫛付キャップを容器Ａに取付け、従来のように染毛を行う。
【００１３】
染毛が終了した場合には、櫛付キャップを取外し、直ちに混合液を捨てる。
何らかの事情によりすぐに混合液を捨てることができない場合には、中栓Ｂを取外した状態でキャップＣを被蓋しておく。
【００１４】
キャップＣを締着した場合に、図５に示すように、肩部４の位置決め突起１２によりキャップＣの下降位置が規制され、容器口部３天面とキャップＣの頂壁２０下面との間には、中栓Ｂの頂壁１５の肉厚に相当する間隙が形成される。
混合液から発生するガスは、キャップＣの頂壁２０と口部３天面との間隙、ねじ１０の切欠部９を通じて側周壁２１の下端から外部に排出される。
したがって、容器Ａの内圧が上昇する場合でも、容器Ａを破損することはない。
また、混合液の残量が多い場合に、混合液の種類によって、混合液がガスとともに流体連通孔を通じて排出されることもある。
【００１５】
上記実施形態では、位置決め突起１２を肩部４の壁面に設けているが、肩部４の壁面に多数の凹条を設け、肩部４で、キャップＣの側周壁２１の下端位置を規制し、凹条よりガスが自由に放散されるようにしてもよい。
また、キャップＣの側周壁２１の下端に複数の突起を設けて、キャップＣの下降位置を規制し、側周壁２１と肩部４との隙間からガスが放散されるようにしてもよい。
【００１６】
また、キャップＣの被蓋時に、中栓のない状態で、ねじの締め終わり時にキャップＣの側周壁２１と肩部４との間に隙間ができるように、側周壁２１の下端までの長さを短くしてもよい。
その際は、キャップＣの側周壁２１または肩部４に、位置決め部材を設けなくてもよい。
【００１７】
【発明の効果】
本発明は、上記のように構成されているから、次の効果を奏する。
容器口部に取外し可能な中栓を嵌合し、キャップの下降位置を一定となるよう規制しているから、中栓を取外し、染毛をした後に再びキャップを被蓋したとき、口部天面とキャップとの間隙、口部外周の上下方向に延びる切欠部によって液体連通路が形成され、混合液から発生するガスが排出される。
したがって、内圧上昇による容器の破損を防ぐことができる。
【図面の簡単な説明】
【図１】本発明のキャップを被蓋した容器の一部断面立面図である。
【図２】中栓を取着した容器の一部断面立面図である。
【図３】容器の上面図である。
【図４】キャップの一部断面立面図である。
【図５】染毛後に、キャップを被蓋したときの容器の説明図である。
【符号の説明】
Ａ　　　容器
Ｂ　　　中栓
Ｃ　　　キャップ
１　　　外側層
２　　　内側層
３　　　口部
４　　　肩部
８　　　拡径部
９　　　切欠部
１０　　ねじ
１２　　位置決め突起
１５　　頂壁
１６　　嵌合筒
２０　　頂壁
２１　　側周壁
２２　　保持面
２３　　ねじ
【図１】
2004091001.tif 000003
【図２】
2004091001.tif 000004
【図３】
2004091001.tif 000005
【図４】
2004091001.tif 000006
【図５】
2004091001.tif 000007